(57)【要約】【課題】ブラックトナー現像器からの飛散トナーがカラートナー現像器内に混入することによる色味の変動を極力抑え、安定して長期に渡って良好な画像を提供することのできる画像形成装置を提供する。【解決手段】像担持体４に形成された静電潜像を現像剤により現像する現像手段３は、少なくともブラックトナー現像器３Ｋを備えた固定現像装置と、イエロートナー現像器３Ｙを少なくとも含む２個以上のカラートナー現像器を備えた可動の現像装置３Ａとを有する。ブラックトナー現像器３Ｋが現像動作中には、可動の現像装置３Ａ内でイエロートナー現像器３Ｙは他の現像器に対してブラックトナー現像器３Ｋから最も離間した位置となるように配置する。【選択図】        図１
2004177500.tif 000002
【特許請求の範囲】
【請求項１】
像担持体と、前記像担持体に形成された静電潜像を現像剤により現像する現像手段とを有し、前記現像手段は、少なくともブラックトナー現像器を備えた固定現像装置と、イエロートナー現像器を少なくとも含む２個以上のカラートナー現像器を備えた可動の現像装置とを有する画像形成装置において、
前記ブラックトナー現像器が現像動作中には、前記可動の現像装置内で前記イエロートナー現像器は他の現像器に対して前記ブラックトナー現像器から最も離間した位置となるように配置することを特徴とする画像形成装置。
【発明の詳細な説明】
【０００１】
【発明の属する技術分野】
本発明は、電子写真方式、静電記録方式等の適宜の作像プロセスにて、各色成分トナー像を記録材上に転写して画像を得る多色（カラー）画像形成装置に関するものであり、カラー複写機やカラーレーザビームプリンタなどに具現化し得る。
【０００２】
【従来の技術】
従来、カラー画像形成装置として、図３に示す構成のものがある。本例にて、カラー画像形成装置は、リーダ部Ａとプリンタ部Ｂとを有している。
【０００３】
リーダ部Ａにおいて、原稿１０１を原稿台ガラス１０２上に載せ、露光ランプ１０３により露光走査することにより、原稿１０１からの反射光像をレンズ１０４により、フルカラーＣＣＤセンサ１０５に集光しカラー色分解画像信号を得る。カラー色分解画像信号は、リーダ画像処理部１０８にて画像処理を施され不図示の画像メモリを介してプリンタ部Ｂに送出される。
【０００４】
プリンタ部Ｂは、現像手段として可動の現像装置３Ａを備えている。本例にて可動の現像装置３Ａは、回転式の現像装置とされ、回転支持装置３ａにマゼンタトナー現像器３Ｍ、イエロートナー現像器３Ｙ、シアントナー現像器３Ｃ、ブラックトナー現像器３Ｋが搭載されて回転可能に構成されている。各カラートナー現像器３Ｍ、３Ｙ、３Ｃ、３Ｋは、回転支持装置３ａが回転することにより、順次、像担持体としての感光体ドラム４に対向した現像位置へと搬送され、感光体ドラム４上に形成された静電潜像に対して各色トナーによる現像を行う。
【０００５】
更に説明すると、感光体ドラム４は、所定の角速度をもって回転駆動され、その感光体ドラム表面を帯電器８によって一様に帯電する。次に、リーダ部Ａからプリンタ部Ｂへと送信された画像信号は、第１色目（例えばマゼンタ）の画像データに応じて、プリンタ制御部１０９に含まれるレーザドライバ及びレーザ光源１１０を介してレーザ光に変換され、そのレーザ光はポリゴンミラー１及びミラー２により反射され、レーザビームを露光走査させることで感光体ドラム４上に第１色目の静電潜像を形成する。この静電潜像は、第１色目のマゼンタトナー現像器３Ｍによって現像、可視化される。この可視化された第１のトナー像は、感光体ドラム４に所定の押圧力を持って圧接されながら回転駆動される中間転写体５に転写される。
【０００６】
前記現像工程を他のトナー（イエロー、シアン、ブラック）についても同様に繰り返し、その都度各現像器に内包された各色トナーによるトナー像を中間転写ドラム５上に順次転写、積層することによりカラー画像が形成される。
【０００７】
中間転写ドラム５上のカラー画像は、給紙ユニットから給紙された記録材６に一括で転写し、記録材６は、定着器７による定着工程を経て機外に排出される。
【０００８】
一方、感光体ドラム４は、感光体ドラム４上の残留トナーをクリーニング手段９により除去し、再度画像形成に供される。
【０００９】
また、近年はオフィスユースなどへの対応から、モノクロ出力の高速化が要求されている。そこでこうした市場からの要求を満たすべく、図１及び図２に示すような構成の画像形成装置も考案されている。
【００１０】
即ち、図１に示す画像形成装置は、図３に示す画像形成装置と同様の構成とされ、同じ構成及び機能を有する部材には同じ参照番号を付している。ただ、現像手段の構成において異なる。
【００１１】
つまり、本例の画像形成装置は、現像手段３として、図３に示す画像形成装置における回転現像装置３Ａと同様の可動の現像装置、即ち、回転式の現像装置３Ａを備えているが、更に、固定式の現像装置３Ｂ、即ち、ブラックトナー現像器３Ｋを有している。本例にて、回転現像装置３Ａは、マゼンタトナー現像器３Ｍ、イエロートナー現像器３Ｙ、シアントナー現像器３Ｃを搭載している。
【００１２】
回転現像装置３Ａの各マゼンタトナー現像器３Ｍ、イエロートナー現像器３Ｙ、シアントナー現像器３Ｃは、回転支持装置３ａによって回転可能に支持されており、フルカラー出力時にはカラートナー現像器３Ｍ、３Ｙ、３Ｃ、及び、固定のブラックトナー現像器３Ｋが順次、像担持体としての感光体ドラム４に対向して各色トナーによる現像を行う。
【００１３】
また、モノクロ出力時にはカラートナー現像器を備えた回転現像装置３Ａは作動せずに、固定式の現像装置３Ｂであるブラックトナー現像器３Ｋで現像が行われる。従って、モノクロ出力時にはフルカラー画像形成装置でありながら、モノクロ専用の画像形成装置と同様のスループットが得られる。
【００１４】
さらには、こうした固定式のブラックトナー現像器３Ｋを採用することにより、オフィスユースなどで一般的に消費量の多いブラックトナーの容量を大きくできるという利点を有する。
【００１５】
また、現像方式の最も優れたものの１つとして、一成分磁性トナーを用い非接触で交番電界を印加して現像させる一成分ジャンピング現像法が、既に出願されている。これは、二成分現像法のように現像剤のトナーとキャリアの混合比を制御する煩わしさがない、キャリアの劣化と言う問題もない、長期にわたって安定して画像が得られる、などの大きな利点を有している。
【００１６】
さらに、その一成分磁性トナー中に配合する磁性体の色が一般的に黒色のために、上記の一成分ジャンピング現像法は、一成分磁性トナーとしてブラックトナーを使用する場合には非常に好適に適用できる。
【００１７】
しかし、マゼンタトナー、イエロートナー、シアントナーのような着色トナーを使用する場合は現在のところ適用が難しい。従ってマゼンタ、イエロー、シアン等の現像には、非磁性トナーとキャリアを混合した二成分現像剤を用い、現像剤担持体としての現像スリーブ上にその現像剤薄層の磁気ブラシを形成して感光体ドラムに接触させ、交番電界を印加して現像させる現像法（ジャンピング及びブラシ現像法）の方が適している。
【００１８】
また、オフィスユースに代表されるように、フルカラーの画像形成装置であってもモノクロを兼用させて使用する場合は、ブラックトナー現像器の使用頻度が非常に高くなることから、ブラックのステーションに一成分ジャンピング現像法を用いることが特に有効になるため、従来から、マゼンタ、イエロー、シアン等の現像には非磁性二成分現像、ブラックには磁性一成分ジャンピング現像を用いる画像形成装置が提案されている。
【００１９】
【発明が解決しようとする課題】
しかしながら、上記のようなカラートナー現像器を収納した回転現像装置と、モノクロ画像形成用のブラックトナー現像器を備えた固定現像装置を有する画像形成装置において、モノクロ出力が行われている間はカラートナー現像器を収納した回転現像装置の回転動作は行われずに特定の位置でカラートナー現像器が停止していることになるが、この際にモノクロ画像形成中のブラックトナー現像器から飛散したブラックトナーが隣接するカラートナー現像器内に混入し蓄積することにより、そのカラートナー現像器内のトナーの色味が変わってしまうという問題がある。
【００２０】
従って、本発明の目的は、ブラックトナー現像器からの飛散トナーがカラートナー現像器内に混入することによる色味の変動を極力抑え、安定して長期に渡って良好な画像を提供することのできる画像形成装置を提供することである。
【００２１】
本発明の他の目的は、モノクロ画像形成時にもスループットを落とさずにフルカラー画像形成を行い得る画像形成装置を提供することである。
【００２２】
【課題を解決するための手段】
上記目的は本発明に係る画像形成装置にて達成される。要約すれば、本発明は、下記の構成を特徴とする画像形成装置を提供する。
【００２３】
（１）像担持体と、前記像担持体に形成された静電潜像を現像剤により現像する現像手段とを有し、前記現像手段は、少なくともブラックトナー現像器を備えた固定現像装置と、イエロートナー現像器を少なくとも含む２個以上のカラートナー現像器を備えた可動の現像装置とを有する画像形成装置において、
前記ブラックトナー現像器が現像動作中には、前記可動の現像装置内で前記イエロートナー現像器は他の現像器に対して前記ブラックトナー現像器から最も離間した位置となるように配置することを特徴とする画像形成装置。
【００２４】
（２）像担持体と、前記像担持体に形成された静電潜像を現像剤により現像する現像手段とを有し、前記現像手段は、少なくともブラックトナー現像器を備えた固定現像装置と、イエロートナー現像器を少なくとも含む２個以上のカラートナー現像器を備えた可動の現像装置とを有する画像形成装置において、
前記可動の現像装置は一定のポジションを２つ以上有することを特徴とし、前記ブラックトナー現像器が現像動作中には、少なくともそのうちの１つのポジションにおいて、前記イエロートナー現像器は他の現像器に対して前記ブラックトナー現像器から最も離間した位置となるように配置することを特徴とする画像形成装置。
【００２５】
（３）前記ブラックトナー現像器は磁性一成分現像剤であり、前記カラートナー現像器は非磁性トナーと磁性粒子とを混合してなる二成分現像剤を内包していることを特徴とする上記（１）又は（２）に記載の画像形成装置。
【００２６】
【発明の実施の形態】
以下、本発明に係る画像形成装置を図面に則して更に詳しく説明する。
【００２７】
実施例１
先ず、図１及び図２を参照して本発明の第１の実施例について説明する。図１に示すカラー画像形成装置の全体構成は、図３に示す画像形成装置との関連で先に概略説明したが、以下に詳しく説明する。
【００２８】
図１及び図２に示す画像形成装置にて、帯電手段８はコロナ帯電器であり、バイアスを印加することで、像担持体としての感光体ドラム４の表面を一様に負極性に帯電させる。
【００２９】
画像データは、プリンタ制御部１０９に含まれるレーザドライバ及びレーザ光源１１０を介してレーザ光に変換され、そのレーザ光はポリゴンミラー１及びミラー２により反射され、一様に帯電された感光体ドラム４上に照射される。レーザ光の走査により潜像が形成された感光体ドラム４は、図中に示す矢印Ａの方向に回転する。
【００３０】
本実施例にて、現像手段３は、上述のように、可動の現像装置としての、マゼンタトナー現像器３Ｍ、イエロートナー現像器３Ｙ、シアントナー現像器３Ｃを回転支持装置３ａに搭載した回転現像装置３Ａと、黒用のブラックトナー現像器３Ｋを有する固定現像装置３Ｂとを有する。
【００３１】
尚、本実施例においては、ブラック現像剤は磁性一成分トナー、他の３色の現像剤は磁性キャリアと非磁性トナーとを含む二成分現像剤を採用している。
【００３２】
回転現像装置３Ａにて、マゼンタトナー現像器３Ｍ、イエロートナー現像器３Ｙ、シアントナー現像器３Ｃは、移動手段としての回転支持装置３ａによって図２の矢印Ｂ方向へ回転移動可能に支持され、前述したカラートナー現像器３Ｍ、３Ｙ、３Ｃが順次感光体ドラム４に対向した現像位置へと移動され、現像位置にて各色トナーによる現像が行われる。
【００３３】
本実施例にて、回転現像装置３Ａは、装置本体に対して着脱可能なプロセスカートリッジとして構成されており、各カラートナー現像器３Ｍ、３Ｙ、３Ｃ内のトナーがなくなったときに回転現像装置３Ａを交換することによって再び画像形成が可能になる。
【００３４】
また、回転現像装置３Ａは、画像形成（コピー）動作時以外においては、常に、例えば、図２に示すような一定の位置（ホームポジション）に位置している。更に、回転現像装置３Ａは、前述したカラートナー現像が終了した時点においても前記ホームポジションに位置する構成とされる。
【００３５】
図２に示す回転現像装置３Ａの状態が本実施例におけるホームポジション位置であるとすると、回転支持装置３ａの回転方向（図２にて矢印Ｂ方向）にて６０°上流位置にマゼンタトナー現像器３Ｍが存在し、６０°下流位置にシアントナー現像器３Ｃが存在し、１８０°上流位置にイエロートナー現像器３Ｙが存在している。
【００３６】
つまり、マゼンタトナー現像器３Ｍは、ホームポジション状態からはＢ方向に６０°回転することにより現像スリーブ３Ｍｓが感光体ドラム４に対向した現像動作位置、即ち、０°位置に位置することとなり、イエロートナー現像器３Ｙは、ホームポジション状態からはＢ方向に１８０°回転することにより、また、シアントナー現像器３Ｃは、ホームポジション状態からはＢ方向に３００°回転することにより、それぞれ現像スリーブ３Ｙｓ、３Ｃｓが感光体ドラム４に対向した現像動作位置、即ち、０°位置に位置することとなる。
【００３７】
一方、固定現像装置３Ｂは、少なくとも、消費量の多いブラックトナーを収納したブラックトナー現像器３Ｋを有するものであり、回転現像装置３Ａと同様にプロセスカートリッジとして構成され、装置本体に着脱可能に構成されている。
【００３８】
この固定現像装置３Ｂは、装置本体に装着された状態では、図２に示すように、回転可能な現像剤担持体である現像スリーブ３Ｋｓが感光体ドラム４と微少間隙（本実施形態では５０μｍ〜５００μｍ）をもって保持され、現像スリーブ３Ｋｓに担持されている現像剤、即ち、トナーを感光体ドラム４に向けて供給するための現像領域が形成されている。
【００３９】
現像スリーブ３Ｋｓは、感光ドラム４に対して周速差をもたせながら図２の矢印Ｃ方向へ回転させることが好ましい。
【００４０】
更に、トナー容器３１内にはトナーを現像スリーブ３Ｋｓ側へ送り出す送り手段３２が設けられており、この送り手段３２によって送り出されたトナーを現像スリーブ３Ｋｓに供給するための供給ローラ３３が収容されている。この供給ローラ３３は現像スリーブ３Ｋｓへの安定供給、均一なトナー塗布を達成するために、ポリウレタン、シリコーン等のゴム発泡材質が好ましく用いられる。
【００４１】
また、現像スリーブ３Ｋｓの上方には、現像スリーブ３Ｋｓに担持されているトナーの層厚を規制する規制部材としての現像ブレード３４が設けられている。
【００４２】
本実施例における上記構成において、感光体ドラム４の表面がコロナ帯電器８によって一様に帯電される（本実施例では−５００Ｖ）。
【００４３】
次に、第１色目（例えばマゼンタ）の画像データに応じてＯＮ／ＯＦＦ制御された露光手段による露光走査がなされ、第１色目の静電潜像（本実施例では約−１５０Ｖ）が感光体ドラム４に形成される。この第１色目の静電潜像は、第１色目のマゼンタトナー（−極性）を内包したマゼンタ現像器３Ｍによって現像、可視像化される。
【００４４】
そして、この可視像化された第１のトナー像は、感光体ドラム４に所定の押圧力を持って圧接されそして感光体ドラム４の周速度と略等速の速度（本実施例では２６５ｍｍ／ｓ）をもって矢印Ｄ方向へ回転駆動される中間転写体５とのニップ部において、１次転写手段としての１次転写ローラ５１の作用の下に中間転写体５に転写される。
【００４５】
尚、中間転写体５としては、通常、厚さ５０〜２００μｍ、体積抵抗値１０８Ω・ｃｍ〜１０１６Ω・ｃｍ程度のＰＶｄＦ（ポリフッ化ビニリデン）、ナイロン、ＰＥＴ（ポリエチレンテレフタレート）、ポリカーボネート、ポリイミド等の樹脂フィルム（必要に応じて抵抗調整がなされている）を用いて無端状に形成した中間転写ベルトが使用される。この中間転写ベルト５は、１次転写ローラ５１、駆動ローラ５２、２次転写ローラ５３、テンションローラ５４、５５等に掛け渡した構成としている。また、２次転写ローラ５３に対向して対向ローラ５６が配置される。
【００４６】
１次転写ローラ５２を介しての一次転写の際に中間転写ベルト５に転写されずに感光体ドラム４上に残ったトナーは、感光体ドラム４に圧接されたクリーニング手段９であるクリーニングブレード９ａにより掻き取られ、廃トナー容器９ｂに回収される。
【００４７】
そして、一次転写工程を他のトナー（イエロー、シアン、ブラック）についても同様に繰り返し、その都度各々の現像器に内包された色の異なるトナーによるトナー像を中間転写体ベルト５上に順次転写、積層することによりカラー画像が合成形成される。
【００４８】
中間転写ベルト５上に形成されたフルカラー画像は、２次転写ローラ５３、対向ローラ５６、及び、図示しないバイアス電源等によって構成された２次転写手段によって記録材６に２次転写される。その後、記録材６上のカラー画像は、定着手段７によって加熱定着され、記録材６は排紙される。
【００４９】
本実施例の図１及び図２に示す構成の画像形成装置においてモノクロ単色の画像形成を行う場合は、ブラックトナー現像器３Ｋが固定現像装置３Ｂとされるために、カラートナー現像器を内包した回転現像装置３Ａを動作することなく、連続して高速の画像形成を行うことが可能である。
【００５０】
ここで、ブラックトナー現像器３Ｋとされる固定現像装置３Ｂによって黒単色連続コピーを行った場合、ブラックトナー現像器３Ｋ中の現像スリーブ３Ｋｓからブラックトナーの飛散が生じ、回転現像装置３Ａのホームポジションにおいて固定現像装置３Ｂ近傍に位置する回転現像装置３Ａに収納されたカラートナー現像器に飛散トナーが堆積し、画像形成を繰り返すことで現像器内に徐々に蓄積し、その現像器内のトナーの色味が変わってしまうという問題が発生した。
【００５１】
ここで、本発明者は以下のような実験を行った。
【００５２】
イエロートナー現像器３Ｙに対してブラックトナーを一定量ずつ強制的に混入させ、空回転後に諧調パターンの画像形成を行い、各混入量での各濃度における色差ΔＥを求めた。その結果を図４に示す。
【００５３】
ここで、色差ΔＥとは元となる色をどれだけ正確に再現しているかを知る目安となる数値で、赤・緑方向のａ＊軸、黄・青方向のｂ＊軸、そして白・黒方向のＬ＊軸の３次元色空間で表すＬ＊ａ＊ｂ＊表色系において、オリジナルの色をＬ０、ａ０、ｂ０、画像形成装置が出力した色をＬ、ａ、ｂとしたときに、次式、ΔＥ＝｛（Ｌ０−Ｌ）２＋（ａ０−ａ）２＋（ｂ０−ｂ）２｝１／２
で表される値である。
【００５４】
つまり、この色差ΔＥはＬ＊ａ＊ｂ＊均等色空間上で元の色からどのくらいの距離が離れているかの目安となる値である。ここで、色差ΔＥは一般的には５〜６以内であれば人間の目には色味変動を感じさせないとされている。
【００５５】
マゼンタトナー現像器３Ｍ、シアントナー現像器３Ｃについても同様にブラックトナーを強制的に一定量ずつ混入する実験を行った。
【００５６】
上記実験より得られた結果のうち、マゼンタトナーの結果を図５に示す。図５は、横軸にブラックトナー混入量、縦軸に色差ΔＥをとったものである。
【００５７】
図４及び図５から、マゼンタトナーに対してブラックトナーが混入した場合よりもイエロートナーにブラックトナーが混入した場合の方が色味変動が大きいことが分かる。
【００５８】
更に、イエロートナーにブラックトナーが混入した場合及びマゼンタトナーにブラックトナーが混入した場合の入力信号に対する出力濃度のグラフをそれぞれ図６及び図７に示す。図６及び図７から、マゼンタトナーにブラックトナーが混入した場合に比べて、イエロートナーにブラックトナーが混入した場合に、ごく少量の混入であっても最も色味変動に大きく寄与するハイライト領域での諧調性が大きく変化してしまうということが分かる。同様の結果は、シアントナーに関しても得られた。
【００５９】
これらの結果から、ブラックトナーの飛散によるカラートナー現像器への混入は、マゼンタ現像器、シアン現像器よりもイエロー現像器に対してが最も厳しいということが分かった。
【００６０】
以上より、本実施例のように、カラートナー現像器を収納した回転現像装置３Ａと、ブラックトナー現像器である固定現像装置３Ｂとを有する構成をもつフルカラー画像形成装置において、図１及び図２に示すように黒単色の画像形成が行われている最中に回転現像装置３Ａが待機しているホームポジションでは、イエロートナー現像器３Ｙがブラックトナー現像器３Ｋから最も離れた位置になるように配置することにより、黒単色の画像形成動作中にブラックトナー現像器３Ｋから飛散したブラックトナーが混入することによる色味の変動を軽減することができ、それによって、長期にわたって安定して良好な画像を提供することが可能となる。
【００６１】
実施例２
次に、第２の実施例を以下に説明する。
【００６２】
尚、本実施例における画像形成プロセスは、前述した第１の実施例とほぼ同一であるため、重複する説明は省略する。
【００６３】
第１の実施例では、黒単色の画像形成が行われている最中に回転現像装置３Ａが待機しているホームポジションで、イエロートナー現像器３Ｙがブラックトナー現像器３Ｋから最も離れた位置となるように配置するため、画像形成装置の構成上、必然的にマゼンタ、イエロー、シアンの各色の配置順が決定されてしまう。
【００６４】
様々な条件を満たすフルカラー画像形成の色順を実現しようとした際に、上記のように回転現像装置３Ａ内で現像器の配置が決定されてしまった場合、カラー現像時に所望の色順になるように回転現像装置３Ａを空回転させる必要があり、結果としてフルカラー画像形成時のスループットが落ちてしまうという問題が発生する。
【００６５】
本実施例では上記問題に鑑みて、以下のような構成とする。
【００６６】
すなわち、回転現像装置３Ａ内に収納されるカラートナー現像器の配置は所望の色順となるように配置し、通常のホームポジションとは別にイエロートナー現像器３Ｙがブラックトナー現像器３Ｋから最も離れた位置になるような第二のホームポジションを規定し、黒単色の画像形成動作時には、上記第二のホームポジションまで回転して待機するという構成とする。
【００６７】
これにより、あらゆる色順に対応し、更に、フルカラー画像形成時のスループットを落とすことなく、また黒単色の画像形成動作中にブラック現像器から飛散したブラックトナーが混入することによる色味の変動を軽減することができるため、長期にわたって安定して良好な画像を提供することが可能となる。
【００６８】
【発明の効果】
以上説明したように、本発明は、像担持体と、像担持体に形成された静電潜像を現像剤により現像する現像手段とを有し、現像手段は、少なくともブラックトナー現像器を備えた固定現像装置と、イエロートナー現像器を少なくとも含む２個以上のカラートナー現像器を備えた可動の現像装置とを有する画像形成装置において、
（Ａ）ブラックトナー現像器が現像動作中には、可動の現像装置内でイエロートナー現像器は他の現像器に対してブラックトナー現像器から最も離間した位置となるように配置するか、又は、
（Ｂ）可動の現像装置は一定のポジションを２つ以上有することを特徴とし、ブラックトナー現像器が現像動作中には、少なくともそのうちの１つのポジションにおいて、イエロートナー現像器は他の現像器に対してブラックトナー現像器から最も離間した位置となるように配置する、
構成とされるので、ブラックトナー現像器からの飛散トナーがカラートナー現像器内に混入することによる色味の変動を極力抑え、安定して長期に渡って良好な画像を得ることができる。また、本発明によれば、モノクロ画像形成時にはカラー用可動現像装置を動作させずにブラックトナー現像器を備えた固定現像装置のみで画像形成を行うことにより、モノクロ画像形成時にもスループットを落とすことがない。
【図面の簡単な説明】
【図１】本発明の画像形成装置の一実施例の概略構成断面図である。
【図２】本発明の実施例に用いた現像手段の断面図である。
【図３】従来の画像形成装置の概略構成断面図である。
【図４】イエロートナー現像器にブラックトナーを一定量ずつ強制的に混入させ、各混入量での各濃度における色差を求めたときの実験結果を示すグラフである。
【図５】マゼンタトナー現像器にブラックトナーを一定量ずつ強制的に混入させ、各混入量での各濃度における色差を求めたときの実験結果を示すグラフである。
【図６】イエロートナー現像器にブラックトナーを一定量ずつ強制的に混入させ、各混入量での各入力信号における反射濃度をとったグラフである。
【図７】マゼンタトナー現像器にブラックトナーを一定量ずつ強制的に混入させ、各混入量での各入力信号における反射濃度をとったグラフである。
【符号の説明】
３                  現像手段
３Ｍ、３Ｙ、３Ｃ    カラートナー現像器
３Ｋ                ブラックトナー現像器
３Ａ                可動の現像装置（回転現像装置）
３Ｂ                固定現像装置
３ａ                回転支持装置
３１                現像剤担持体（現像スリーブ）
４                  像担持体（感光体ドラム）
５                  中間転写体（中間転写ベルト）
６                  記録材
８                  一次帯電器
【図１】
2004177500.tif 000003
【図２】
2004177500.tif 000004
【図３】
2004177500.tif 000005
【図４】
2004177500.tif 000006
【図５】
2004177500.tif 000007
【図６】
2004177500.tif 000008
【図７】
2004177500.tif 000009